(57)【要約】【課題】小型化されたリボンカートリッジを提供する。【解決手段】第２インクリボン２１３をガイドし、リボンカートリッジ２００が第２カートリッジ装着部に装着された際に、第１巻取り軸が挿入される巻取り側筒部２７９と、巻取り側筒部２７９よりも第２インクリボン２１３の送り方向下流側の位置で、第２インクリボン２１３をガイドする第１リボンガイド２８１と、第１リボンガイド２８１よりも送り方向下流側の位置で、第２インクリボン２１３をガイドする第２リボンガイド２８３とを備え、第１リボンガイド２８１は、リボンカートリッジ２００の装着方向手前側から見て、巻取り側筒部２７９と第２リボンガイド２８３とを結ぶガイド仮想線３２５よりもリボンカートリッジ２００の内側に設けられている。【選択図】図１０
2019171843.tif 000002
【特許請求の範囲】
【請求項１】
第１インクリボンが巻き取られる第１巻取りコアが収容された第１のリボンカートリッジが装着される第１カートリッジ装着部と、第２インクリボンが収容された第２のリボンカートリッジが装着される第２カートリッジ装着部と、前記第１カートリッジ装着部および前記第２カートリッジ装着部の重畳領域に設けられ、前記第１カートリッジ装着部に前記第１のリボンカートリッジが装着された際に、前記第１巻取りコアに挿入される第１巻取り軸と、を備えた印刷装置に装着される前記第２のリボンカートリッジであって、
前記第２インクリボンをガイドし、前記第２のリボンカートリッジが前記第２カートリッジ装着部に装着された際に、前記第１巻取り軸が挿入される巻取り側筒部と、
前記巻取り側筒部よりも前記第２インクリボンの送り方向下流側の位置で、前記第２インクリボンをガイドする第１リボンガイドと、
前記第１リボンガイドよりも前記送り方向下流側の位置で、前記第２インクリボンをガイドする第２リボンガイドと、を備え、
前記第１リボンガイドは、前記第２のリボンカートリッジの装着方向手前側から見て、前記巻取り側筒部と前記第２リボンガイドとを結ぶガイド仮想線よりも前記第２のリボンカートリッジの内側に設けられていることを特徴とするリボンカートリッジ。
【請求項２】
前記第１のリボンカートリッジには、前記第１インクリボンが巻回された第１繰出しコアが収容され、
前記重畳領域には、前記第１カートリッジ装着部に前記第１のリボンカートリッジが装着された際に、前記第１繰出しコアに挿入される第１繰出し軸が設けられ、
前記第２インクリボンをガイドし、前記第２のリボンカートリッジが前記第２カートリッジ装着部に装着された際に、前記第１繰出し軸が挿入される繰出し側筒部、を備えたことを特徴とする請求項１に記載のリボンカートリッジ。
【請求項３】
前記第２のリボンカートリッジが前記第２カートリッジ装着部に装着された際に、前記重畳領域に設けられたサーマルヘッドが前記第２インクリボンと接触可能なように、前記第２インクリボンが露出する第２リボン露出部、を備え、
前記第２リボン露出部へ送られる前記第２インクリボンは、前記装着方向手前側から見て、前記繰出し側筒部と前記巻取り側筒部とを結ぶ筒間仮想線の一方の側を通過し、
前記第２リボン露出部から送られてきた前記第２インクリボンは、前記装着方向手前側から見て、前記筒間仮想線の前記一方の側とは反対側である前記筒間仮想線の他方の側を通過し、
前記巻取り側筒部と前記繰出し側筒部との間には、前記巻取り側筒部と前記繰出し側筒部との間を閉塞する閉塞部が設けられ、
前記第１リボンガイドは、前記装着方向手前側から見て、前記閉塞部と対向するように、前記巻取り側筒部よりも前記第２インクリボンの送り方向下流側に設けられ、前記巻取り側筒部から送られてきた前記第２インクリボンのインク面と接触することを特徴とする請求項２に記載のリボンカートリッジ。
【請求項４】
前記繰出し側筒部には、前記第１リボンガイドよりも送り方向下流側となる前記第２インクリボンに向かって、周面から突出した筒凸部が設けられていることを特徴とする請求項３に記載のリボンカートリッジ。
【請求項５】
前記第２インクリボンを収容した第２カートリッジケース、を備え、
前記第２カートリッジケースは、前記巻取り側筒部が突出した筒突出壁部、を有し、
前記巻取り側筒部の周面には、前記巻取り側筒部の周方向において、前記筒突出壁部に対して垂直な角度から傾斜した巻取り側傾斜部と、前記筒突出壁部に対して垂直な角度からの傾斜角度が前記巻取り側傾斜部よりも小さい巻取り側垂直部と、が設けられ、
前記巻取り側筒部は、前記巻取り側垂直部において、前記第２インクリボンをガイドすることを特徴とする請求項２ないし４のいずれか一項に記載のリボンカートリッジ。
【請求項６】
前記繰出し側筒部は、前記筒突出壁部から突出し、
前記繰出し側筒部の周面には、前記繰出し側筒部の周方向において、前記筒突出壁部に対して垂直な角度から傾斜した繰出し側傾斜部と、前記筒突出壁部に対して垂直な角度からの傾斜角度が前記繰出し側傾斜部よりも小さい繰出し側垂直部と、が設けられ、
前記繰出し側筒部は、前記繰出し側垂直部において、前記第２インクリボンをガイドすることを特徴とする請求項５に記載のリボンカートリッジ。
【請求項７】
前記第２インクリボンを収容した第２カートリッジケース、を備え、
前記第２カートリッジケースは、第１ケースと、第２ケースと、を有し、
前記巻取り側筒部および前記繰出し側筒部は、前記第１ケースおよび前記第２ケースの一方に設けられていることを特徴とする請求項２ないし６のいずれか一項に記載のリボンカートリッジ。
【発明の詳細な説明】
【技術分野】
【０００１】
本発明は、インクリボンを収容したリボンカートリッジに関するものである。
【背景技術】
【０００２】
従来、特許文献１が開示するように、テープカセットが装着されるカセット装着部と、リボンカセットが装着されるリボン装着部とを備えた印刷装置に装着されるリボンカセットが知られている。
【先行技術文献】
【特許文献】
【０００３】
【特許文献１】特開２０１７−０２４３２４号公報
【発明の概要】
【発明が解決しようとする課題】
【０００４】
特許文献１に開示されている印刷装置は、テープ印刷部とチューブ印刷部の２つの印刷部を備えているため、印刷装置が大型化し、また、製造コストも増大する。本発明の発明者は、第１のリボンカートリッジが装着される第１カートリッジ装着部と、リボンの収容量が第１のリボンカートリッジより大きい第２のリボンカートリッジが装着される第２カートリッジ装着部とを備えた印刷装置において、第１カートリッジ装着部の一部と第２カートリッジ装着部の一部とを共通化することを思いついた。このような印刷装置において、第１カートリッジ装着部と第２カートリッジ装着部とが重畳する重畳領域には、第１のリボンカートリッジに収容された第１巻取りコアに挿入される第１巻取り軸が設けられる。さらに、第２のリボンカートリッジには、第２インクリボンをガイドし、第２カートリッジ装着部に装着された際に、第１巻取り軸が干渉しないように、第１巻取り軸が挿入される巻取り側筒部が設けられる。また、巻取り側筒部よりも第２インクリボンの送り方向下流側には、リボンガイドが設けられる。この構成では、第２インクリボンが、巻取り側筒部とリボンガイドとを結ぶガイド仮想線に沿って送られるが、第２のリボンカートリッジの小型化を図るためには、さらなる改良を行う必要がある。
【０００５】
本発明は、リボンの搬送経路を最適化し、且つ小型化されたリボンカートリッジを提供することを課題としている。
【課題を解決するための手段】
【０００６】
本発明のリボンカートリッジは、第１インクリボンが巻き取られる第１巻取りコアが収容された第１のリボンカートリッジが装着される第１カートリッジ装着部と、第２インクリボンが収容された第２のリボンカートリッジが装着される第２カートリッジ装着部と、第１カートリッジ装着部および第２カートリッジ装着部の重畳領域に設けられ、第１カートリッジ装着部に第１のリボンカートリッジが装着された際に、第１巻取りコアに挿入される第１巻取り軸と、を備えた印刷装置に装着される第２のリボンカートリッジであって、第２インクリボンをガイドし、第２のリボンカートリッジが第２カートリッジ装着部に装着された際に、第１巻取り軸が挿入される巻取り側筒部と、巻取り側筒部よりも第２インクリボンの送り方向下流側の位置で、第２インクリボンをガイドする第１リボンガイドと、第１リボンガイドよりも送り方向下流側の位置で、第２インクリボンをガイドする第２リボンガイドと、を備え、第１リボンガイドは、第２のリボンカートリッジの装着方向手前側から見て、巻取り側筒部と第２リボンガイドとを結ぶガイド仮想線よりも第２のリボンカートリッジの内側に設けられていることを特徴とする。
【図面の簡単な説明】
【０００７】
【図１】本発明の一実施形態に係るリボンカートリッジおよびテープガイドが装着された状態のテープ印刷装置の斜視図である。
【図２】リボンカートリッジおよびテープガイドが装着された状態のテープ印刷装置を装着方向手前側から見た図である。
【図３】テープカートリッジが装着された状態のテープ印刷装置を装着方向手前側から見た図である。
【図４】テープ印刷装置を装着方向手前側から見た図である。
【図５】リボンカートリッジの斜視図である。
【図６】リボンカートリッジを装着方向手前側から見た図である。
【図７】リボンカートリッジを−Ｙ側から見た図である。
【図８】リボンカートリッジを＋Ｙ側から見た図である。
【図９】手前側ケースが取り外された状態のリボンカートリッジの斜視図である。
【図１０】手前側ケースが取り外された状態のリボンカートリッジを装着方向手前側から見た図である。
【図１１】奥側ケースを装着方向手前側から見た図である。
【図１２】変形例に係るリボンカートリッジの斜視図である。
【発明を実施するための形態】
【０００８】
以下、添付の図面を参照しつつ、本発明の「第２のリボンカートリッジ」の一実施形態であるリボンカートリッジ２００について、リボンカートリッジ２００が装着されるテープ印刷装置Ｐと共に説明する。テープ印刷装置Ｐは、本発明の「印刷装置」の一例である。なお、以下の図面では、各部の配置関係を明確にするために、ＸＹＺ直交座標系を表示するが、それが本発明を何ら限定するものではないことは、言うまでもない。
【０００９】
［テープ印刷装置］
図１ないし図４に基づいて、テープ印刷装置Ｐについて説明する。テープ印刷装置Ｐには、テープカートリッジ１００と、リボンカートリッジ２００と、テープガイド４００とが、着脱可能に装着される。テープカートリッジ１００には、第１テープ１１１および第１インクリボン１１３が収容されている。テープカートリッジ１００は、本発明の「第１のリボンカートリッジ」の一例である。リボンカートリッジ２００には、第２インクリボン２１３が収容されている。リボンカートリッジ２００は、本発明の「第２のリボンカートリッジ」の一例である。また、テープ印刷装置Ｐには、テープ印刷装置Ｐ外から第２テープ５００を導入するためのテープ導入口１１が設けられている。テープガイド４００は、テープ導入口１１から導入された第２テープ５００をガイドする。テープ印刷装置Ｐは、図３に示すように、テープカートリッジ１００が装着された状態で、第１テープ１１１に対して印刷を行う第１テープ印刷と、図１および図２に示すように、リボンカートリッジ２００およびテープガイド４００が装着された状態で、第２テープ５００に対して印刷を行う第２テープ印刷と、を実行することができる。
【００１０】
テープ印刷装置Ｐは、装置ケース１と、装着部カバー３と、第１カートリッジ装着部５と、第２カートリッジ装着部７とを備えている。装置ケース１は、略直方体状に形成されている。装置ケース１には、−Ｘ側の面にテープ排出口９が設けられ、＋Ｘ側の面にテープ導入口１１が設けられている。テープ排出口９からは、印刷済みの第１テープ１１１或いは印刷済みの第２テープ５００が排出される。テープ導入口１１には、第２テープ５００がテープ印刷装置Ｐ外から導入される。
【００１１】
装着部カバー３は、＋Ｙ側の端部を中心として回転可能なように、装置ケース１に設けられている。装着部カバー３は、第１カートリッジ装着部５および第２カートリッジ装着部７を開閉する。装着部カバー３は、カバーロック機構（図示省略）により、閉じた状態にロックされる。そして、カバー開放ボタン（図示省略）が押されると、カバーロック機構がアンロック状態となり、装着部カバー３が開かれる。
【００１２】
装着部カバー３の内側の面には、第１押え突起１３と、第２押え突起１５と、第３押え突起１７とが、突出して設けられている。第２カートリッジ装着部７にリボンカートリッジ２００が装着された状態で、装着部カバー３が閉められると、第１押え突起１３、第２押え突起１５、および第３押え突起１７がリボンカートリッジ２００に突き当たる。このため、リボンカートリッジ２００は、第１押え突起１３、第２押え突起１５、および第３押え突起１７により押さえられた状態で装着される。
【００１３】
装着部カバー３の外側の面には、図示省略したが、キーボードおよびディスプレーが設けられている。キーボードは、文字列等の印刷情報や、印刷実行等の各種指示の入力操作を受け付ける。ディスプレーは、キーボードから入力された印刷情報のほか、各種情報を表示する。テープ印刷装置Ｐは、キーボードが印刷実行の入力操作を受け付けると、キーボードから入力された印刷情報に基づいて、印刷処理を実行する。なお、テープ印刷装置Ｐは、キーボードおよびディスプレーに代えて、タッチパネル式ディスプレーなどの入力表示手段を備えた構成でもよい。また、テープ印刷装置Ｐは、パソコン、スマートフォンなどの外部装置から受信した印刷データおよびコマンドに基づいて、印刷処理を実行する構成でもよい。これら外部装置と接続可能な構成とする際、キーボードおよびディスプレーは、設けてもよいし、設けなくてもよい。
【００１４】
第１カートリッジ装着部５および第２カートリッジ装着部７は、装置ケース１の＋Ｚ側の面に設けられている。第１カートリッジ装着部５には、テープカートリッジ１００が着脱可能に装着される。第２カートリッジ装着部７には、リボンカートリッジ２００が着脱可能に装着される。第１カートリッジ装着部５および第２カートリッジ装着部７は、＋Ｚ側が開放された凹状に形成されている。このため、テープカートリッジ１００およびリボンカートリッジ２００は、それぞれ、第１カートリッジ装着部５および第２カートリッジ装着部７に対して、＋Ｚ側から装着される。なお、以下では、テープカートリッジ１００およびリボンカートリッジ２００の装着方向を、単に「装着方向」という。また、装着方向手前側とは、＋Ｚ側を意味し、装着方向奥側とは、−Ｚ側を意味する。
【００１５】
図４に示すように、第１カートリッジ装着部５の−Ｙ側の部分と、第２カートリッジ装着部７の−Ｘ側の部分とは、共通化されている。ここで、第１カートリッジ装着部５と第２カートリッジ装着部７とが重畳する部分を、重畳領域２１という。また、第１カートリッジ装着部５のうち、重畳領域２１から外れた部分を、第１非重畳領域２３といい、第２カートリッジ装着部７のうち、重畳領域２１から外れた部分を、第２非重畳領域２５という。第１非重畳領域２３は、テープガイド４００が着脱可能に装着されるガイド装着部として機能する。このように、第１カートリッジ装着部５の一部と第２カートリッジ装着部７の一部とが共通化されていることで、第１カートリッジ装着部５と第２カートリッジ装着部７とが別々に設けられた構成に比べ、テープ印刷装置Ｐを小型化することができる。
【００１６】
図３に示すように、第１テープ印刷時には、第１カートリッジ装着部５にテープカートリッジ１００が装着される。この状態で、テープ印刷装置Ｐは、テープカートリッジ１００に収容された第１テープ１１１および第１インクリボン１１３を送りながら、第１テープ１１１に対して印刷を行う。
【００１７】
図１および図２に示すように、第２テープ印刷時には、第１カートリッジ装着部５にテープガイド４００が装着され、第２カートリッジ装着部７にリボンカートリッジ２００が装着される。この状態で、テープ印刷装置Ｐは、テープ導入口１１から導入された第２テープ５００と、リボンカートリッジ２００に収容された第２インクリボン２１３とを送りながら、第２テープ５００に対して印刷を行う。
【００１８】
なお、第２テープ５００は、例えば、ロール状に巻かれたテープロールとして提供される。未使用状態のテープロールにおける第２テープ５００の長さおよびリボンカートリッジ２００に収容された第２インクリボン２１３の長さは、特に限定されるものではないが、本実施形態では、未使用状態のテープカートリッジ１００に収容された第１テープ１１１の長さおよび第１インクリボン１１３の長さよりも長くなっている。このため、例えば、一度に大量のラベルを作成する場合に、第２テープ印刷が実行される。
【００１９】
［テープカートリッジ］
図３に基づいて、テープカートリッジ１００について説明する。テープカートリッジ１００は、テープコア１０１と、第１プラテンローラー１０３と、第１繰出しコア１０５と、第１巻取りコア１０７と、これらを回転可能に収容した第１カートリッジケース１０９とを備えている。テープコア１０１には、第１テープ１１１が巻回されている。第１繰出しコア１０５には、インクが塗布された面を内側にして第１インクリボン１１３が巻回されている。なお、第１カートリッジケース１０９には、収容した第１テープ１１１および第１インクリボン１１３の幅に応じて、厚さ、すなわち装着方向の寸法が異なる複数種のものがある。
【００２０】
第１カートリッジケース１０９は、装着方向手前側から見て、略「Ｌ」字状に形成されている。第１カートリッジケース１０９の＋Ｙ側の略半部には、テープコア収容部１１５が設けられている。テープコア収容部１１５には、テープコア１０１が回転可能に収容されている。
【００２１】
第１カートリッジケース１０９の−Ｙ側の略半部のうち、＋Ｘ側には、第１リボンコア収容部１１７が設けられ、−Ｘ側には、第１ヘッド挿入部（図示省略）が設けられている。第１リボンコア収容部１１７には、第１繰出しコア１０５および第１巻取りコア１０７が回転可能に収容されている。第１ヘッド挿入部、第１繰出しコア１０５および第１巻取りコア１０７は、それぞれ重畳領域２１に設けられたサーマルヘッド２７、第１繰出し軸２９および第１巻取り軸３１（図４参照）に対応する位置に設けられている。第１ヘッド挿入部には、テープカートリッジ１００が第１カートリッジ装着部５に装着された際に、サーマルヘッド２７が挿入される。第１ヘッド挿入部の周縁部には、第１インクリボン１１３が露出する第１リボン露出部（図示省略）が設けられている。第１繰出しコア１０５から繰り出された第１インクリボン１１３は、第１リボン露出部を通って第１巻取りコア１０７に巻き取られる。
【００２２】
第１カートリッジケース１０９の−Ｘ側の面には、テープ送出口１２３が設けられている。印刷済みの第１テープ１１１は、テープ送出口１２３から第１カートリッジケース１０９外へ送り出される。また、図示省略したが、第１カートリッジケース１０９の＋Ｘ側の面および−Ｘ側の面には、第１フック係合部が設けられている。
【００２３】
［リボンカートリッジの概要］
図２に基づいて、リボンカートリッジ２００の概要について説明する。リボンカートリッジ２００は、第２繰出しコア２０５と、第２巻取りコア２０７と、これらを回転可能に収容した第２カートリッジケース２０９とを備えている。第２繰出しコア２０５には、インクが塗布された面を内側にして第２インクリボン２１３が巻回されている。以下では、第２インクリボン２１３のインクが塗布された面を、インク面２１３ａという。なお、第２カートリッジケース２０９には、収容した第２インクリボン２１３の幅に応じて、厚さの異なる複数種のものがある。
【００２４】
第２カートリッジケース２０９は、装着方向手前側から見て、Ｘ方向に長い略長方形状に形成されている。第２カートリッジケース２０９の＋Ｘ側には、第２リボンコア収容部２１７が設けられ、−Ｘ側には、第２ヘッド挿入部２１９（図５参照）が設けられている。第２リボンコア収容部２１７には、第２繰出しコア２０５および第２巻取りコア２０７が、回転可能に収容されている。第２ヘッド挿入部２１９、第２繰出しコア２０５および第２巻取りコア２０７は、それぞれ、重畳領域２１に設けられたサーマルヘッド２７、第２非重畳領域２５に設けられた第２繰出し軸４５（図４参照）および第２巻取り軸４７に対応する位置に設けられている。第２繰出しコア２０５には第２インクリボン２１３が巻回されており、第２巻取りコア２０７には第２インクリボン２１３が巻き取られる。このため、リボンカートリッジ２００の重心は、第２繰出しコア２０５および第２巻取りコア２０７を収容した第２リボンコア収容部２１７側寄り、すなわち＋Ｘ側寄りに位置している。
【００２５】
第２ヘッド挿入部２１９には、リボンカートリッジ２００が第２カートリッジ装着部７に装着された際に、サーマルヘッド２７が挿入される。第２ヘッド挿入部２１９の周縁部には、第２インクリボン２１３が露出する第２リボン露出部２２１（図５参照）が設けられている。第２繰出しコア２０５から繰り出された第２インクリボン２１３は、第２リボン露出部２２１を通って第２巻取りコア２０７に巻き取られる。また、第２カートリッジケース２０９の−Ｙ側の面、＋Ｘ側の面および＋Ｙ側の面には、第２フック係合部２２５が設けられている（図５、図７ないし図９参照）。
【００２６】
［テープガイド］
図２に基づいて、テープガイド４００について説明する。テープガイド４００は、ローラー支持部４０１と、第２プラテンローラー４０３とを備えている。ローラー支持部４０１は、第２プラテンローラー４０３を回転可能に支持している。なお、テープガイド４００には、ガイドする第２テープ５００の幅に応じて、厚さの異なる複数種のものがある。
【００２７】
［カートリッジ装着部］
図４に基づいて、第１カートリッジ装着部５および第２カートリッジ装着部７について説明する。上述したように、第１カートリッジ装着部５および第２カートリッジ装着部７は、重畳領域２１と、第１非重畳領域２３と、第２非重畳領域２５とに区分けできる。
【００２８】
重畳領域２１の底面、すなわち重畳領域２１の装着方向奥側の面には、サーマルヘッド２７と、第１繰出し軸２９と、第１巻取り軸３１とが、装着方向手前側に突出して設けられている。サーマルヘッド２７は、第１繰出し軸２９および第１巻取り軸３１と比較して、装着方向手前側への突出量が大きい。なお、図示省略したが、サーマルヘッド２７とテープ排出口９との間には、カッターが設けられている。カッターは、サーマルヘッド２７とテープ排出口９との間の位置で、第１テープ１１１或いは第２テープ５００を切断する。
【００２９】
サーマルヘッド２７は、ヘッドカバー３３に覆われている。第１カートリッジ装着部５にテープカートリッジ１００が装着された際に、ヘッドカバー３３が第１ヘッド挿入部に挿入される。また、第２カートリッジ装着部７にリボンカートリッジ２００が装着された際に、ヘッドカバー３３が第２ヘッド挿入部２１９に挿入される。
【００３０】
第１繰出し軸２９には、第１繰出し回転部材３５が回転可能に設けられている。第１繰出し軸２９は、第１カートリッジ装着部５にテープカートリッジ１００が装着された際に、第１繰出しコア１０５に挿入され、第１繰出し回転部材３５が第１繰出しコア１０５に係合する。また、第１繰出し軸２９は、第２カートリッジ装着部７にリボンカートリッジ２００が装着された際に、リボンカートリッジ２００に設けられた繰出し側筒部２７７（図９参照）に挿入される。
【００３１】
第１巻取り軸３１には、第１巻取り回転部材３７が回転可能に設けられている。第１巻取り軸３１は、第１カートリッジ装着部５にテープカートリッジ１００が装着された際に、第１巻取りコア１０７に挿入され、第１巻取り回転部材３７が第１巻取りコア１０７に係合する。また、第１巻取り軸３１は、第２カートリッジ装着部７にリボンカートリッジ２００が装着された際に、リボンカートリッジ２００に設けられた巻取り側筒部２７９（図９参照）に挿入される。
【００３２】
第１非重畳領域２３の底面には、プラテン軸３９と、２つの第１フック４１とが、装着方向手前側に突出して設けられている。
【００３３】
プラテン軸３９には、プラテン回転部材４３が回転可能に設けられている。プラテン軸３９は、第１カートリッジ装着部５にテープカートリッジ１００が装着された際に、第１プラテンローラー１０３に挿入され、プラテン回転部材４３が第１プラテンローラー１０３に係合する。また、プラテン軸３９は、第１非重畳領域２３にテープガイド４００が装着された際に、第２プラテンローラー４０３に挿入され、プラテン回転部材４３が第２プラテンローラー４０３に係合する。
【００３４】
２つの第１フック４１は、第１非重畳領域２３のＸ方向両端部に設けられており、第１カートリッジ装着部５にテープカートリッジ１００が装着された際に、第１カートリッジケース１０９に設けられた第１フック係合部に係合する。これにより、テープカートリッジ１００が第１カートリッジ装着部５の底面から浮き上がった状態で装着されることが抑制される。
【００３５】
第２非重畳領域２５の底面には、第２繰出し軸４５と、第２巻取り軸４７と、３つの第２フック４９と、受け部５１とが、装着方向手前側に突出して設けられている。また、第２非重畳領域２５の−Ｙ側の内周面には、基板接続部５３が固定されている。
【００３６】
第２繰出し軸４５には、第２繰出し回転部材５５が回転可能に設けられている。第２繰出し軸４５は、第２カートリッジ装着部７にリボンカートリッジ２００が装着された際に、第２繰出しコア２０５に挿入され、第２繰出し回転部材５５が第２繰出しコア２０５に係合する。
【００３７】
第２巻取り軸４７には、第２巻取り回転部材５７が回転可能に設けられている。第２巻取り軸４７は、第２カートリッジ装着部７にリボンカートリッジ２００が装着された際に、第２巻取りコア２０７に挿入され、第２巻取り回転部材５７が第２巻取りコア２０７に係合する。
【００３８】
３つの第２フック４９は、第２繰出し軸４５および第２巻取り軸４７を囲むように設けられている。第２フック４９は、第２カートリッジ装着部７にリボンカートリッジ２００が装着された際に、第２カートリッジケース２０９に設けられた第２フック係合部２２５に係合する。
【００３９】
受け部５１は、第２カートリッジ装着部７の＋Ｘ側且つ−Ｙ側の隅部に位置して、設けられている。受け部５１は、リボンカートリッジ２００が第２カートリッジ装着部７に装着された際に、第２カートリッジケース２０９に設けられた受け挿入穴２９７（図１０参照）に挿入される。
【００４０】
基板接続部５３は、第２カートリッジ装着部７の−Ｙ側の内周面において、＋Ｘ側の端部に設けられている。すなわち、基板接続部５３は、受け部５１の−Ｙ側に設けられている。基板接続部５３は、テープ印刷装置Ｐが備える制御回路（図示省略）に接続されている。基板接続部５３は、リボンカートリッジ２００が第２カートリッジ装着部７に装着された際に、リボンカートリッジ２００が備える回路基板３１１（図５参照）と接続される。これにより、制御回路が、回路基板３１１に記憶された各種情報を読み取ることができ、また回路基板３１１に各種情報を書き込むことができる。
【００４１】
このように構成されたテープ印刷装置Ｐにおいて、第１テープ印刷のために、第１カートリッジ装着部５にテープカートリッジ１００が装着されると、プラテン回転部材４３、第１繰出し回転部材３５および第１巻取り回転部材３７が、第１プラテンローラー１０３、第１繰出しコア１０５および第１巻取りコア１０７とそれぞれ係合する。そして、装着部カバー３が閉められると、ヘッド移動機構（図示省略）によりサーマルヘッド２７がプラテン軸３９に向けて移動する。これにより、サーマルヘッド２７と第１プラテンローラー１０３との間に、第１リボン露出部において露出した第１インクリボン１１３が第１テープ１１１と共に挟持される。
【００４２】
この状態で、送りモーター（図示省略）が正方向に回転すると、送りモーターの駆動力が、プラテン回転部材４３、第１巻取り回転部材３７および第２巻取り回転部材５７に伝達される。そして、プラテン回転部材４３に係合した第１プラテンローラー１０３が、装着方向手前側から見て時計回りに回転すると共に、第１巻取り回転部材３７に係合した第１巻取りコア１０７が、装着方向手前側から見て反時計回りに回転する。これにより、テープコア１０１から繰り出された第１テープ１１１が、テープ排出口９に向けて送られると共に、第１繰出しコア１０５から繰り出された第１インクリボン１１３が、第１巻取りコア１０７に巻き取られる。なお、このとき、第２巻取り回転部材５７は、空回り状態となる。
【００４３】
送りモーターが正方向とは逆の戻し方向に回転すると、送りモーターの駆動力が、プラテン回転部材４３、第１繰出し回転部材３５および第２繰出し回転部材５５に伝達される。そして、プラテン回転部材４３に係合した第１プラテンローラー１０３が、装着方向手前側から見て反時計回りに回転すると共に、第１繰出し回転部材３５に係合した第１繰出しコア１０５が、装着方向手前側から見て反時計回りに回転する。これにより、テープコア１０１から繰り出された第１テープ１１１が、テープコア１０１に向けて送られると共に、第１繰出しコア１０５から繰り出された第１インクリボン１１３が、第１繰出しコア１０５に巻き戻される。なお、このとき、第２繰出し回転部材５５は、空回り状態となる。
【００４４】
テープ印刷装置Ｐは、第１テープ印刷時には、送りモーターを正方向に回転させることにより、第１テープ１１１をテープ排出口９に向けて送り、第１インクリボン１１３を第１巻取りコア１０７に巻き取りつつ、サーマルヘッド２７を発熱させることにより、第１テープ１１１に印刷を行う。印刷終了後、テープ印刷装置Ｐは、カッターを切断動作させ、第１テープ１１１の印刷済み部分を切り離す。その後、テープ印刷装置Ｐは、送りモーターを戻し方向に回転させることにより、第１テープ１１１をテープコア１０１に向けて送り、第１インクリボン１１３を第１繰出しコア１０５に巻き戻す。これにより、第１テープ１１１の先端が、サーマルヘッド２７と第１プラテンローラー１０３との挟持位置の近傍、すなわち、印刷位置の近傍にくるまで、第１テープ１１１が引き戻される。このため、次に印刷される第１テープ１１１において、サーマルヘッド２７とカッターとの離間距離に起因して第１テープ１１１の長さ方向前方に生じる余白を、短くすることができる。
【００４５】
一方、第２テープ印刷のために、第２カートリッジ装着部７にリボンカートリッジ２００が装着されると、第２繰出し回転部材５５および第２巻取り回転部材５７が、第２繰出しコア２０５および第２巻取りコア２０７とそれぞれ係合する。さらに、第１非重畳領域２３にテープガイド４００が装着されると、プラテン回転部材４３が第２プラテンローラー４０３と係合する。また、テープ導入口１１から導入された第２テープ５００は、テープガイド４００にセットされる。そして、装着部カバー３が閉められると、サーマルヘッド２７がプラテン軸３９に向けて移動する。これにより、サーマルヘッド２７と第２プラテンローラー４０３との間に、第２リボン露出部２２１において露出した第２インクリボン２１３が第２テープ５００と共に挟持される。
【００４６】
この状態で、送りモーターが正方向に回転すると、送りモーターの駆動力が、プラテン回転部材４３、第１巻取り回転部材３７および第２巻取り回転部材５７に伝達される。そして、プラテン回転部材４３に係合した第２プラテンローラー４０３が、装着方向手前側から見て時計回りに回転すると共に、第２巻取り回転部材５７に係合した第２巻取りコア２０７が、装着方向手前側から見て反時計回りに回転する。これにより、テープ導入口１１から導入された第２テープ５００が、テープ排出口９に向けて送られると共に、第２繰出しコア２０５から繰り出された第２インクリボン２１３が、第２巻取りコア２０７に巻き取られる。なお、このとき、第１巻取り回転部材３７は、空回り状態となる。
【００４７】
送りモーターが戻し方向に回転すると、送りモーターの駆動力が、プラテン回転部材４３、第１繰出し回転部材３５および第２繰出し回転部材５５に伝達される。そして、プラテン回転部材４３に係合した第２プラテンローラー４０３が、装着方向手前側から見て反時計回りに回転すると共に、第２繰出し回転部材５５に係合した第２繰出しコア２０５が、装着方向手前側から見て反時計回りに回転する。これにより、テープ導入口１１から導入された第２テープ５００が、テープ導入口１１に向けて送られると共に、第２繰出しコア２０５から繰り出された第２インクリボン２１３が、第２繰出しコア２０５に巻き戻される。なお、このとき、第１繰出し回転部材３５は、空回り状態となる。
【００４８】
テープ印刷装置Ｐは、第２テープ印刷時には、第１テープ印刷時と同様に、送りモーターを正方向に回転させることにより、第２テープ５００をテープ排出口９に向けて送り、第２インクリボン２１３を第２巻取りコア２０７に巻き取りつつ、サーマルヘッド２７を発熱させることにより、第２テープ５００に印刷を行う。印刷終了後、テープ印刷装置Ｐは、カッターを切断動作させ、第２テープ５００の印刷済み部分を切り離す。その後、テープ印刷装置Ｐは、送りモーターを戻し方向に回転させることにより、第２テープ５００をテープ導入口１１に向けて送ると共に、第２インクリボン２１３を第２繰出しコア２０５に巻き戻す。これにより、第２テープ５００の先端が、サーマルヘッド２７と第２プラテンローラー４０３との挟持位置の近傍、すなわち、印刷位置の近傍にくるまで、第２テープ５００が引き戻される。このため、次に印刷される第２テープ５００において、サーマルヘッド２７とカッターとの離間距離に起因して第２テープ５００の長さ方向前方に生じる余白を、短くすることができる。
【００４９】
［リボンカートリッジの詳細］
図５ないし図１１に基づいて、リボンカートリッジ２００についてさらに説明する。図５に示すように、第２カートリッジケース２０９は、手前側ケース２２７と、奥側ケース２２９とを備えている。手前側ケース２２７および奥側ケース２２９は、本発明の「第１ケース」および「第２ケース」の一例である。手前側ケース２２７は、リボンカートリッジ２００が第２カートリッジ装着部７に装着される際に、装着方向手前側となる。奥側ケース２２９は、リボンカートリッジ２００が第２カートリッジ装着部７に装着される際に、装着方向奥側となる。手前側ケース２２７は、透光性を有する樹脂の成形品であり、奥側ケース２２９は、透光性を有しない樹脂の成形品であるが、手前側ケース２２７および奥側ケース２２９の材質や製法は、これに限定されるものではない。
【００５０】
図５および図６に示すように、手前側ケース２２７には、第２カートリッジケース２０９の＋Ｘ側寄りに位置して、第２カートリッジケース２０９を摘むための摘み部２３１が設けられている。上述したように、第２繰出しコア２０５および第２巻取りコア２０７が収容された第２リボンコア収容部２１７は、第２カートリッジケース２０９の＋Ｘ側寄りに設けられているため、リボンカートリッジ２００の重心は、＋Ｘ側寄りに位置している。このため、ユーザーは、手前側ケース２２７の＋Ｘ側寄りに設けられた摘み部２３１を利用して、リボンカートリッジ２００の重心が位置する＋Ｘ側寄りを摘むことができる。したがって、ユーザーは、リボンカートリッジ２００を安定的に摘むことができる。
【００５１】
手前側ケース２２７は、手前側壁部２３３と、第１周壁部２３５とを備えている。手前側壁部２３３は、リボンカートリッジ２００が第２カートリッジ装着部７に装着される際に、装着方向手前側となる。手前側壁部２３３には、手前側繰出しボス２３７と、手前側巻取り開口２３９とが設けられている。手前側繰出しボス２３７および手前側巻取り開口２３９は、第２リボンコア収容部２１７に設けられている。手前側繰出しボス２３７および手前側巻取り開口２３９は、それぞれ、第２カートリッジ装着部７に設けられた第２繰出し軸４５および第２巻取り軸４７と対応する位置に設けられている。手前側繰出しボス２３７は、手前側壁部２３３の内面から装着方向奥側に突出しており、第２繰出しコア２０５の装着方向手前側の端部が係合している。手前側巻取り開口２３９には、第２巻取りコア２０７の装着方向手前側の端部が係合している。
【００５２】
第１周壁部２３５は、手前側壁部２３３の周縁部から装着方向奥側に延びている。第１周壁部２３５は、−Ｘ側に位置する手前側第１壁部２４１と、−Ｙ側に位置する手前側第２壁部２４３と、＋Ｘ側に位置する手前側第３壁部２４５と、＋Ｙ側に位置する手前側第４壁部２４７とを備えている。手前側第１壁部２４１と手前側第４壁部２４７とが交わる位置には、第２インクリボン２１３が露出する第２リボン露出部２２１が設けられている。
【００５３】
図５ないし図７に示すように、手前側第２壁部２４３のＸ方向略中間部には、第２周壁凹部２４９が設けられている。第２周壁凹部２４９は、装着方向手前側から見てＸ方向にやや長い略長方形状に凹んだ形状に形成されている。第２周壁凹部２４９は、手前側第２壁部２４３が装着方向の全体に亘って凹んでいる。
【００５４】
手前側第２壁部２４３の＋Ｘ側の端部には、第４周壁凹部２５１が設けられている。第４周壁凹部２５１は、装着方向手前側から見てＸ方向に長い略長方形状に凹んだ形状に形成されている。第４周壁凹部２５１は、第２周壁凹部２４９と同様に、手前側第２壁部２４３が装着方向の略全体に亘って凹んでいる。手前側第２壁部２４３の＋Ｘ側の領域において、装着方向奥側の端面には、基板抜止め部２５３が装着方向奥側に突出して設けられている。基板抜止め部２５３は、奥側ケース２２９に設けられた基板取付部３０９に取り付けられた回路基板３１１を、基板取付部３０９に対して抜止め状態とする。
【００５５】
なお、手前側第２壁部２４３において、第２周壁凹部２４９よりも−Ｘ側に位置する第１平坦部２５５と、第２周壁凹部２４９および第４周壁凹部２５１の間に位置する第２平坦部２５７とは、略面一になっている。仮に、第２平坦部２５７が設けられておらず、第２周壁凹部２４９と第４周壁凹部２５１とが連なっている構成では、手前側第２壁部２４３を下方に向けた姿勢でリボンカートリッジ２００が机等の載置面に置かれた際に、リボンカートリッジ２００の重心側に位置する第４周壁凹部２５１が載置面に当たり、第１平坦部２５５が載置面に対して斜めに浮いた状態となるおそれがある。この場合、リボンカートリッジ２００が載置面に対してガタつきやすい状態で置かれることになる。これに対し、本実施形態では、第２平坦部２５７が設けられていることで、手前側第２壁部２４３を下方に向けた姿勢でリボンカートリッジ２００が載置面に置かれた際に、第２平坦部２５７が載置面に当たるため、第４周壁凹部２５１が載置面に当たることが抑制され、第１平坦部２５５が載置面に対して斜めに浮いた状態となることが抑制される。このため、リボンカートリッジ２００を載置面に安定した状態で置くことができる。
【００５６】
図５および図６に示すように、手前側第３壁部２４５の−Ｙ側の端部には、第３周壁凹部２５９が設けられている。第３周壁凹部２５９は、装着方向手前側から見てＹ方向に長い略長方形状に凹んだ形状に形成されている。第３周壁凹部２５９の−Ｙ側の端部は、第４周壁凹部２５１の＋Ｘ側の端部と連なっている。第３周壁凹部２５９は、手前側第３壁部２４５が、装着方向奥側の端部を残して凹んでいる。
【００５７】
図５、図６および図８に示すように、手前側第４壁部２４７は、手前側第１部分壁部２６１と、手前側第２部分壁部２６３と、手前側第３部分壁部２６５とを備えている。手前側第１部分壁部２６１は、手前側第３壁部２４５の＋Ｙ側の端部から、−Ｘ側に延びている。手前側第２部分壁部２６３は、手前側第１部分壁部２６１の−Ｘ側の端部から、−Ｘ側と−Ｙ側との間の斜め方向に屈曲して延びている。手前側第３部分壁部２６５は、手前側第２部分壁部２６３の−Ｘ側の端部から、手前側第２部分壁部２６３よりもＸ方向と平行に近い角度に屈曲して延びている。
【００５８】
手前側第１部分壁部２６１には、第１周壁凹部２６７が設けられている。第１周壁凹部２６７は、装着方向手前側から見てＹ方向に長い略台形状に凹んだ形状に形成されている。第１周壁凹部２６７は、第３周壁凹部２５９と同様に、手前側第４壁部２４７が、装着方向奥側の端部を残して凹んでいる。
【００５９】
図９に示すように、奥側ケース２２９は、奥側壁部２６９と、第２周壁部２７１とを備えている。奥側壁部２６９は、リボンカートリッジ２００が第２カートリッジ装着部７に装着される際に、装着方向奥側となる。奥側壁部２６９は、手前側ケース２２７の手前側壁部２３３と対向している。
【００６０】
図９ないし図１１に示すように、奥側壁部２６９には、奥側繰出し開口２７３と、奥側巻取り開口２７５と、繰出し側筒部２７７と、巻取り側筒部２７９と、第１リボンガイド２８１と、第２リボンガイド２８３と、受け挿入部２８５とが設けられている。
【００６１】
奥側繰出し開口２７３および奥側巻取り開口２７５は、第２リボンコア収容部２１７に設けられている。奥側繰出し開口２７３および奥側巻取り開口２７５は、それぞれ、第２カートリッジ装着部７に設けられた第２繰出し軸４５および第２巻取り軸４７と対応する位置に設けられている。奥側繰出し開口２７３には、第２繰出しコア２０５の装着方向奥側の端部が係合している。奥側巻取り開口２７５には、第２巻取りコア２０７の装着方向奥側の端部が係合している。以下では、第２インクリボン２１３の送り方向を、単に「送り方向」という。また、送り方向において、上流側とは、第２繰出しコア２０５側を意味し、下流側とは、第２巻取りコア２０７側を意味する。
【００６２】
繰出し側筒部２７７および巻取り側筒部２７９は、第２リボンコア収容部２１７と第２ヘッド挿入部２１９との間に位置して、奥側壁部２６９から装着方向手前側に突出して設けられている。繰出し側筒部２７７および巻取り側筒部２７９は、それぞれ、重畳領域２１に設けられた第１繰出し軸２９および第１巻取り軸３１に対応する位置に設けられている。
【００６３】
繰出し側筒部２７７は、有蓋の略円筒状に形成されており、リボンカートリッジ２００が第２カートリッジ装着部７に装着された際に、重畳領域２１に設けられた第１繰出し軸２９が挿入される。これにより、リボンカートリッジ２００が第２カートリッジ装着部７に装着された際に、第１繰出し軸２９がリボンカートリッジ２００と干渉することが抑制される。繰出し側筒部２７７は、第１繰出し軸２９に設けられた第１繰出し回転部材３５との間に隙間が生じる程度の内径を有している。このため、第１繰出し回転部材３５が回転しても、第１繰出し回転部材３５が繰出し側筒部２７７の内周面に対して摺動することがない。なお、繰出し側筒部２７７の装着方向手前側には、手前側ケース２２７に設けられた圧入ピン（図示省略）が圧入する圧入穴２８７が設けられている。
【００６４】
また、繰出し側筒部２７７は、第２繰出しコア２０５の送り方向下流側に位置し、第２繰出しコア２０５から第２リボン露出部２２１へ送られる第２インクリボン２１３を、その周面の＋Ｙ側の一部に接触させることによりガイドする。すなわち、第１繰出し軸２９が挿入される繰出し側筒部２７７を、第２インクリボン２１３をガイドするガイド部材としても機能させることができる。なお、繰出し側筒部２７７は、手前側ケース２２７に設けられた筒部と、奥側ケース２２９に設けられた筒部と、により構成されてもよいが、本実施形態では、繰出し側筒部２７７が、手前側ケース２２７および奥側ケース２２９の一方、すなわち奥側ケース２２９のみに設けられている。このため、繰出し側筒部２７７の周面に段部が生じることなく、第２インクリボン２１３を適切にガイドすることができる。また、繰出し側筒部２７７の形状は、円筒状に限定されるものではなく、例えば、楕円筒状、半円筒状或いは角筒状でもよい。
【００６５】
巻取り側筒部２７９は、略円筒状に形成されており、リボンカートリッジ２００が第２カートリッジ装着部７に装着された際に、重畳領域２１に設けられた第１巻取り軸３１が挿入される。これにより、リボンカートリッジ２００が第２カートリッジ装着部７に装着された際に、第１巻取り軸３１がリボンカートリッジ２００と干渉することが抑制される。巻取り側筒部２７９は、第１巻取り軸３１に設けられた第１巻取り回転部材３７との間に隙間が生じる程度の内径を有している。このため、第１巻取り回転部材３７が回転しても、第１巻取り回転部材３７が巻取り側筒部２７９の内周面に対して摺動することがない。
【００６６】
また、巻取り側筒部２７９は、第２リボン露出部２２１の送り方向下流側に位置し、第２リボン露出部２２１から第２巻取りコア２０７へ送られる第２インクリボン２１３を、その周面の−Ｙ側の一部に接触させることによりガイドする。すなわち、第１巻取り軸３１が挿入される巻取り側筒部２７９を、第２インクリボン２１３をガイドするガイド部材としても機能させることができる。なお、巻取り側筒部２７９は、手前側ケース２２７に設けられた筒部と、奥側ケース２２９に設けられた筒部と、により構成されてもよいが、本実施形態では、巻取り側筒部２７９が、手前側ケース２２７および奥側ケース２２９の一方、すなわち奥側ケース２２９のみに設けられている。このため、巻取り側筒部２７９の周面に段部が生じることなく、第２インクリボン２１３を適切にガイドすることができる。また、巻取り側筒部２７９の形状は、繰出し側筒部２７７の形状と同様に、円筒状に限定されるものではなく、例えば、楕円筒状、半円筒状或いは角筒状でもよい。
【００６７】
第１リボンガイド２８１は、巻取り側筒部２７９よりも第２インクリボン２１３の送り方向下流側の位置で、第２インクリボン２１３をガイドする。第１リボンガイド２８１は、奥側壁部２６９と一体に形成されている。第１リボンガイド２８１は、第１ガイド本体２８９と、２つの第１ガイドリブ２９１とを備えている。第１ガイド本体２８９は、略円柱状に形成されており、第２インクリボン２１３のインク面２１３ａと接触し、第２インクリボン２１３をガイドする。２つの第１ガイドリブ２９１は、第１ガイド本体２８９の周面から＋Ｘ側および−Ｙ側に突出している。第１ガイドリブ２９１は、第１ガイド本体２８９が、適度に張った状態で送られる第２インクリボン２１３から受ける圧力により傾斜することを抑制する。
【００６８】
第２リボンガイド２８３は、第１リボンガイド２８１よりも送り方向下流側の位置で、第２インクリボン２１３をガイドする。第２リボンガイド２８３は、奥側壁部２６９と一体に形成されている。第２リボンガイド２８３は、第１リボンガイド２８１と同様に、第２ガイド本体２９３と、２つの第２ガイドリブ２９５とを備えている。第２ガイド本体２９３は、略円柱状に形成されており、第２インクリボン２１３のインク面２１３ａとは反対側の面と接触し、第２インクリボン２１３をガイドする。２つの第２ガイドリブ２９５は、第２ガイド本体２９３の周面から−Ｘ側および＋Ｙ側に突出している。第２ガイドリブ２９５は、第２ガイド本体２９３が、第２インクリボン２１３から受ける圧力により傾斜することを抑制する。
【００６９】
受け挿入部２８５は、奥側壁部２６９の＋Ｘ側且つ−Ｙ側の隅部に位置して、装着方向手前側に突出して設けられている。受け挿入部２８５には、受け挿入穴２９７が、装着方向に貫通して設けられている。受け挿入穴２９７には、リボンカートリッジ２００が第２カートリッジ装着部７に装着された際に、受け部５１が挿入される。
【００７０】
第２周壁部２７１は、奥側壁部２６９の周縁部から装着方向手前側に延びている。第２周壁部２７１の装着方向手前側の端面は、手前側ケース２２７の第１周壁部２３５の装着方向奥側の端面と接している。第２周壁部２７１は、−Ｘ側に位置する奥側第１壁部２９９と、−Ｙ側に位置する奥側第２壁部３０１と、＋Ｘ側に位置する奥側第３壁部３０３と、＋Ｙ側に位置する奥側第４壁部３０５とを備えている。奥側第１壁部２９９と奥側第４壁部３０５とが交わる位置には、第２リボン露出部２２１が設けられている。
【００７１】
図７、図９ないし図１１に示すように、奥側第２壁部３０１の＋Ｘ側の端部には、上記の第４周壁凹部２５１に対応して、奥側周壁凹部３０７が設けられている。奥側周壁凹部３０７は、第４周壁凹部２５１と同様に、装着方向手前側から見てＸ方向に長い略長方形状に凹んだ形状に形成されている。奥側周壁凹部３０７の＋Ｘ側、且つ＋Ｙ側の領域には、基板取付部３０９が設けられている。基板取付部３０９には、回路基板３１１が取り付けられている。回路基板３１１は、記憶素子を備えている。記憶素子には、例えば、第２インクリボン２１３の幅、第２繰出しコア２０５に巻回されている第２インクリボン２１３の残量などの情報が記憶される。また、基板取付部３０９が奥側周壁凹部３０７の＋Ｘ側、且つ＋Ｙ側の領域に設けられているため、例えばリボンカートリッジ２００を誤って落下させた場合にも、基板取付部３０９に取り付けられた回路基板３１１が床面等に当たることが抑制される。これにより、回路基板３１１にキズや汚れが付くことを抑制することができる。
【００７２】
奥側第２壁部３０１のＸ方向略中間部、すなわち第２周壁凹部２４９に対応する位置には、装着方向手前側の端面から装着方向手前側に突出した周壁凸部３１３が設けられている。周壁凸部３１３は、装着方向奥側から第２周壁凹部２４９内に挿入されている。
【００７３】
図８、図１０および図１１に示すように、奥側第４壁部３０５は、奥側第１部分壁部３１５と、奥側第２部分壁部３１７と、奥側第３部分壁部３１９とを備えている。奥側第１部分壁部３１５は、奥側第３壁部３０３の＋Ｙ側の端部から、−Ｘ側に延びている。奥側第２部分壁部３１７は、奥側第１部分壁部３１５の−Ｘ側の端部から、−Ｘ側と−Ｙ側との間の斜め方向に屈曲して延びている。奥側第３部分壁部３１９は、奥側第２部分壁部３１７の−Ｘ側の端部から、奥側第２部分壁部３１７よりもＸ方向と平行に近い角度に屈曲して延びている。
【００７４】
図５、図７ないし図９に示すように、奥側第２壁部３０１、奥側第３壁部３０３および奥側第２部分壁部３１７には、第２フック係合部２２５が設けられている。すなわち、３つの第２フック係合部２２５は、装着方向手前側から見て、第２リボンコア収容部２１７の周縁部に設けられている。第２フック係合部２２５には、リボンカートリッジ２００が第２カートリッジ装着部７に装着された際に、第２フック４９が係合する。これにより、リボンカートリッジ２００が第２カートリッジ装着部７の底面から浮き上がった状態で装着されることが抑制される。
【００７５】
［繰出し側筒部および巻取り側筒部］
図９および図１０に基づいて、繰出し側筒部２７７および巻取り側筒部２７９周りの構成についてさらに説明する。ここで、装着方向手前側から見て、巻取り側筒部２７９と第２リボンガイド２８３とを結ぶガイド仮想線３２５を想定する。より具体的には、ガイド仮想線３２５は、装着方向手前側から見て、巻取り側筒部２７９において第２インクリボン２１３と接する箇所と、第２リボンガイド２８３において第２インクリボン２１３と接する箇所とを結ぶ仮想線である。第１リボンガイド２８１は、装着方向手前側から見て、ガイド仮想線３２５よりも、リボンカートリッジ２００の内側に設けられている。このため、第２インクリボン２１３は、巻取り側筒部２７９と第２リボンガイド２８３との間において、ガイド仮想線３２５よりも、リボンカートリッジ２００の内側を送られる。
【００７６】
また、装着方向手前側から見て、繰出し側筒部２７７と巻取り側筒部２７９とを結ぶ筒間仮想線３２７を想定する。より具体的には、筒間仮想線３２７は、装着方向手前側から見て、繰出し側筒部２７７の中心と、巻取り側筒部２７９の中心とを結ぶ仮想線である。第２繰出しコア２０５から第２リボン露出部２２１へ送られる第２インクリボン２１３は、装着方向手前側から見て、筒間仮想線３２７の一方の側を通過する。第２リボン露出部２２１から第２巻取りコア２０７へ送られる第２インクリボン２１３は、装着方向手前側から見て、筒間仮想線３２７の他方の側を通過する。第１リボンガイド２８１は、装着方向手前側から見て、後述する閉塞部３２９と対向するように、巻取り側筒部２７９よりも第２インクリボン２１３の送り方向下流側に設けられている。
【００７７】
繰出し側筒部２７７と巻取り側筒部２７９との間には、繰出し側筒部２７７と巻取り側筒部２７９との間の空間を閉塞する閉塞部３２９が設けられている。閉塞部３２９は、装着方向手前側から見て、筒間仮想線３２７に重なるように、装着方向奥側から装着方向手前側へ略全体に亘って、繰出し側筒部２７７および巻取り側筒部２７９と一体に形成されている。閉塞部３２９は、繰出し側筒部２７７と巻取り側筒部２７９との間の空間を閉塞できていればよく、装着方向手前側から見て筒間仮想線３２７に重ならなくてもよいし、繰出し側筒部２７７および巻取り側筒部２７９とは別の部材で構成されていてもよい。さらに、繰出し側筒部２７７には、第１リボンガイド２８１よりも送り方向下流側となる第２インクリボン２１３に向かって、周面から突出した筒凸部３３１が設けられている。筒凸部３３１は、繰出し側筒部２７７の軸方向に延びており、繰出し側筒部２７７の軸方向の略全体に亘って設けられている。また、筒凸部３３１は、第２インクリボン２１３に接触しない範囲で、できるだけ突出量を大きく形成されていることが好ましい。
【００７８】
上述したように、第１リボンガイド２８１の第１ガイド本体２８９は、第２インクリボン２１３のインク面２１３ａと接触している。このため、第２インクリボン２１３が送られる際に、第２インクリボン２１３のインク面２１３ａが第１ガイド本体２８９の周面と擦れ合うことにより、第２インクリボン２１３からリボンカスが生じるおそれがある。生じたリボンカスが第２カートリッジケース２０９内に拡散すると、第２繰出しコア２０５から第２リボン露出部２２１へ送られる第２インクリボン２１３にリボンカスが付着し、さらに、第２インクリボン２１３に付着したリボンカスがサーマルヘッド２７に付着する。これにより、印刷画像に、カスレや線抜けなどの印刷不良が生じるおそれがある。
【００７９】
これに対し、本実施形態では、繰出し側筒部２７７と巻取り側筒部２７９との間に閉塞部３２９が設けられていることで、リボンカスが繰出し側筒部２７７と巻取り側筒部２７９との間を通過して第２インクリボン２１３に付着することを抑制することができる。また、繰出し側筒部２７７に筒凸部３３１が設けられていることで、リボンカスが繰出し側筒部２７７の＋Ｘ側から第２インクリボン２１３に付着することを抑制することができる。換言すれば、第２インクリボン２１３のインク面２１３ａと接触する第１リボンガイド２８１を、巻取り側筒部２７９と、閉塞部３２９と、繰出し側筒部２７７と、筒凸部３３１とで囲むことにより、第１リボンガイド２８１において生じたリボンカスを捕捉する捕捉領域を形成することができる。これにより、印刷画像に、カスレや線抜けなどの印刷不良が生じることを抑制することができる。なお、閉塞部３２９の高さ、すなわち装着方向における寸法は、繰出し側筒部２７７の高さや巻取り側筒部２７９の高さと略等しいが、これに限定されるものではない。すなわち、閉塞部３２９の高さは、繰出し側筒部２７７の高さや巻取り側筒部２７９の高さより低くてもよく、高くてもよい。
【００８０】
図１０および図１１に示すように、繰出し側筒部２７７の周面には、繰出し側筒部２７７の周方向において、繰出し側傾斜部３３３と、繰出し側垂直部３３５とが設けられている。すなわち、図１０および図１１において、繰出し側筒部２７７の輪郭線のうち、比較的太い線、厳密には繰出し側筒部２７７の装着方向手前側の端部を表す輪郭線と装着方向奥側の端部を表す輪郭線との二重線、で表された部分が、繰出し側傾斜部３３３であり、比較的細い線で表された部分が繰出し側垂直部３３５である。
【００８１】
繰出し側傾斜部３３３は、装着方向手前側へ向かうにしたがい、奥側壁部２６９に対して、装着方向手前側から見て繰出し側筒部２７７の中心側へ傾斜している。繰出し側垂直部３３５は、奥側壁部２６９に対して略垂直である。すなわち、繰出し側傾斜部３３３が奥側壁部２６９に対して垂直な角度から傾斜した傾斜角度に比べ、繰出し側垂直部３３５が奥側壁部２６９に対して垂直な角度から傾斜した傾斜角度の方が、小さい。なお、繰出し側垂直部３３５の傾斜角度は、ゼロでもよい。すなわち、繰出し側垂直部３３５は、奥側壁部２６９に対して垂直な角度から傾斜しておらず、奥側壁部２６９に対して垂直でもよい。なお、奥側壁部２６９は、本発明の「筒突出壁部」の一例である。
【００８２】
繰出し側筒部２７７は、繰出し側垂直部３３５において、第２インクリボン２１３をガイドする。このため、第２繰出しコア２０５と第２リボン露出部２２１との間において、第２インクリボン２１３の幅方向が第２繰出しコア２０５の回転軸と略平行になった状態で第２インクリボン２１３が送られるように、第２インクリボン２１３がガイドされる。これにより、第２インクリボン２１３にシワが生じることを抑制することができる。また、繰出し側筒部２７７には、繰出し側傾斜部３３３が設けられているため、奥側ケース２２９の成形時に型抜きを適切に行うことができる。
【００８３】
繰出し側筒部２７７と同様に、巻取り側筒部２７９の周面には、巻取り側筒部２７９の周方向において、巻取り側傾斜部３３７と、巻取り側垂直部３３９とが設けられている。すなわち、図１０および図１１において、巻取り側筒部２７９の輪郭線のうち、比較的太い線、厳密には巻取り側筒部２７９の装着方向手前側の端部を表す輪郭線と装着方向奥側の端部を表す輪郭線との二重線、で表された部分が、巻取り側傾斜部３３７であり、比較的細い線で表された部分が巻取り側垂直部３３９である。
【００８４】
巻取り側傾斜部３３７は、装着方向手前側へ向かうにしたがい、奥側壁部２６９に対して、装着方向手前側から見て巻取り側筒部２７９の中心側へ傾斜している。巻取り側垂直部３３９は、奥側壁部２６９に対して略垂直である。すなわち、巻取り側傾斜部３３７が奥側壁部２６９に対して垂直な角度から傾斜した傾斜角度に比べ、巻取り側垂直部３３９が奥側壁部２６９に対して垂直な角度から傾斜した傾斜角度の方が、小さい。なお、巻取り側垂直部３３９の傾斜角度は、ゼロでもよい。すなわち、巻取り側垂直部３３９は、奥側壁部２６９に対して垂直な角度から傾斜しておらず、奥側壁部２６９に対して垂直でもよい。
【００８５】
巻取り側筒部２７９は、巻取り側垂直部３３９において、第２インクリボン２１３をガイドする。このため、第２リボン露出部２２１と第２巻取りコア２０７との間において、第２インクリボン２１３の幅方向が第２巻取りコア２０７の回転軸と略平行になった状態で第２インクリボン２１３が送られるように、第２インクリボン２１３がガイドされる。これにより、第２インクリボン２１３にシワが生じることを抑制することができる。また、巻取り側筒部２７９には、巻取り側傾斜部３３７が設けられているため、奥側ケース２２９の成形時に型抜きを適切に行うことができる。なお、巻取り側筒部２７９の周方向において、巻取り側垂直部３３９が占める角度は、特に限定されるものではないが、第２インクリボン２１３を適切にガイドすることができる範囲内で、なるべく小さい方が、その分、巻取り側傾斜部３３７が占める角度が大きくなり、型抜きを適切に行うことができるため、好ましい。
【００８６】
以上のように、本実施形態のリボンカートリッジ２００は、第２巻取りコア２０７と、巻取り側筒部２７９と、第１リボンガイド２８１と、第２リボンガイド２８３とを備えている。巻取り側筒部２７９は、第２インクリボン２１３をガイドし、第２カートリッジ装着部７に装着された際に、第１巻取り軸３１が挿入される。第１リボンガイド２８１は、巻取り側筒部２７９よりも送り方向下流側の位置で、第２インクリボン２１３をガイドする。第２リボンガイド２８３は、第１リボンガイド２８１よりも送り方向下流側の位置で、第２インクリボン２１３をガイドする。第１リボンガイド２８１は、装着方向手前側から見て、巻取り側筒部２７９と第２リボンガイド２８３とを結ぶガイド仮想線３２５よりもリボンカートリッジ２００の内側に設けられている。
【００８７】
この構成によれば、第２インクリボン２１３は、巻取り側筒部２７９と第２リボンガイド２８３との間において、ガイド仮想線３２５よりも、リボンカートリッジ２００の内側を送られる。これにより、第２リボンガイド２８３がガイド仮想線３２５上を送られる構成に比べて、リボンカートリッジ２００を小型化することができる。
【００８８】
［変形例］
本発明は、上記の実施形態に限定されず、その趣旨を逸脱しない範囲で種々の構成を採用可能であることは言うまでもない。例えば、上記の実施形態は、上述したほか、以下のような形態に変更することができる。
【００８９】
巻取り側筒部２７９の送り方向下流側、且つ第１リボンガイド２８１の送り方向上流側に、第３リボンガイドを設けてもよい。また、第３リボンガイドは、装着方向手前側から見て、ガイド仮想線３２５よりもリボンカートリッジ２００の外側に設けてもよい。このとき、第２リボン露出部２２１から第２巻取りコア２０７へ送られる第２インクリボン２１３は、巻取り側筒部２７９に接触せず、第３リボンガイドに接触した後、第１リボンガイド側へ送るようにしてもよい。
【００９０】
巻取り側筒部２７９は、第２リボン露出部２２１から第２巻取りコア２０７へ送られる第２インクリボン２１３を、その周面の＋Ｙ側の一部に接触させることでガイドしてもよい。このとき、巻取り側筒部２７９と第２インクリボン２１３のインク面２１３ａとが接触することにより、巻取り側筒部２７９においてリボンカスが生じるおそれがある。そのため、閉塞部３２９は、繰出し側筒部２７７から第２リボン露出部２２１へ送られる第２インクリボン２１３と巻取り側筒部２７９との間の空間へ向けて、繰出し側筒部２７７から延出させてもよい。
【００９１】
第１リボンガイド２８１は、奥側壁部２６９と一体に形成された構成に限定されるものではなく、例えば円柱状に形成され、奥側壁部２６９に対して回転可能な構成でもよい。この構成では、第１リボンガイド２８１が、第２インクリボン２１３の送りに従動して回転するため、第１リボンガイド２８１の周面と第２インクリボン２１３のインク面２１３ａとの摩擦が低減する。これにより、第１リボンガイド２８１において第２インクリボン２１３から発生するリボンカスを低減することができる。
【００９２】
本発明の「第１のリボンカートリッジ」は、本実施形態のテープカートリッジ１００のように、第１テープ１１１のような印刷媒体が収容された構成に限定されるものではなく、印刷媒体が収容されていない構成でもよい。同様に、本発明の「第２のリボンカートリッジ」は、本実施形態のリボンカートリッジ２００のように、印刷媒体が収容されていない構成に限定されるものではなく、印刷媒体が収容された構成でもよい。
【００９３】
テープ印刷装置Ｐは、第１繰出し軸２９を備えていない構成でもよい。この場合、リボンカートリッジ２００は、繰出し側筒部２７７を備えていなくてもよい。また、テープ印刷装置Ｐは、第２繰出し軸４５を備えていない構成でもよい。
【００９４】
リボンカートリッジ２００が装着される印刷装置は、第１テープ１１１や第２テープ５００のように、テープ状の印刷媒体に印刷を行う構成に限定されるものではない。すなわち、本発明の「印刷装置」は、例えば、ロール紙や枚葉紙に印刷を行うものでもよい。
【００９５】
図１２に示すように、変形例のリボンカートリッジ３００は、リボン部手前側ケース３５３と、ローラー部手前側ケース３５５と、共通奥側ケース３５７とを備えている。リボン部手前側ケース３５３は、リボン部手前壁部３５９と、リボン部手前壁部３５９の周縁部から装着方向奥側に突出したリボン部手前側周壁部３６１とを備えている。ローラー部手前側ケース３５５は、ローラー部手前壁部３６３と、ローラー部手前壁部３６３の周縁部から装着方向奥側に突出したローラー部手前側周壁部３６５とを備えている。共通奥側ケース３５７は、共通奥壁部３６７と、共通奥壁部３６７から装着方向手前側に突出したリボン部奥側周壁部３６９およびローラー部奥側周壁部３７１とを備えている。
【００９６】
リボン部手前側ケース３５３と共通奥側ケース３５７とは、リボン部手前側周壁部３６１とリボン部奥側周壁部３６９とを突き合わせるようにして組み合され、インクリボン収容部３７３の外殻を構成している。インクリボン収容部３７３は、実施形態のリボンカートリッジ２００と略同様に構成されている。ローラー部手前側ケース３５５と共通奥側ケース３５７とは、ローラー部手前側周壁部３６５とローラー部奥側周壁部３７１とを突き合わせるようにして組み合され、ローラー収容部３７５の外殻を構成している。ローラー収容部３７５は、第２プラテンローラー４０３と同様のプラテンローラーを回転可能に支持、および収納し、実施形態のテープガイド４００と略同様に構成されている。インクリボン収容部３７３とローラー収容部３７５とは、共通奥壁部３６７を介して、一体に形成されている。すなわち、リボンカートリッジ３００は、実施形態のリボンカートリッジ２００に相当するインクリボン収容部３７３と、実施形態のテープガイド４００に相当するローラー収容部３７５とが、一体化されたものである。また、リボン部手前側ケース３５３とローラー部手前側ケース３５５との間に、装置ケース１外から導入された第２テープ５００が送られる第２テープ経路３７７が設けられている。
【符号の説明】
【００９７】
２００…リボンカートリッジ、２０５…第２繰出しコア、２０７…第２巻取りコア、２１３…第２インクリボン、２１３ａ…インク面、２１７…第２リボンコア収容部、２１９…第２ヘッド挿入部、２２１…第２リボン露出部、２２９…奥側ケース、２６９…奥側壁部、２７１…第２周壁部、２７７…繰出し側筒部、２７９…巻取り側筒部、２８１…第１リボンガイド、２８３…第２リボンガイド、２８５…受け挿入部、２８７…圧入穴、２８９…第１ガイド本体、２９１…第１ガイドリブ、２９３…第２ガイド本体、２９５…第２ガイドリブ、２９７…受け挿入穴、２９９…奥側第１壁部、３０１…奥側第２壁部、３０３…奥側第３壁部、３０５…奥側第４壁部、３０７…奥側周壁凹部、３０９…基板取付部、３１１…回路基板、３１３…周壁凸部、３１５…奥側第１部分壁部、３１７…奥側第２部分壁部、３１９…奥側第３部分壁部、３２５…ガイド仮想線、３２７…筒間仮想線、３２９…閉塞部、３３１…筒凸部、３３３…繰出し側傾斜部、３３５…繰出し側垂直部、３３７…巻取り側傾斜部、３３９…巻取り側垂直部。
【図１】
2019171843.tif 000003
【図２】
2019171843.tif 000004
【図３】
2019171843.tif 000005
【図４】
2019171843.tif 000006
【図５】
2019171843.tif 000007
【図６】
2019171843.tif 000008
【図７】
2019171843.tif 000009
【図８】
2019171843.tif 000010
【図９】
2019171843.tif 000011
【図１０】
2019171843.tif 000012
【図１１】
2019171843.tif 000013
【図１２】
2019171843.tif 000014